(57)【要約】【課題】リクライニング状態での使用者の良好な姿勢を保持して使用者の腰部等への負担を軽減する折畳みベッドを提供する。【解決手段】使用者の上半身側Ｓ１が載せられる上半身側寝台部８と、使用者の下半身側Ｓ２が載せられる下半身側寝台部９とを含む寝台部２を有し、ベッド側面視において、上半身側寝台部８と下半身側寝台部９とが略水平となる水平状態と、逆Ｖ字状に折り曲げられた折り畳み状態とに変形可能である折畳みベッド１である。上半身側寝台部８は、起き上がり部１０を含んでいる。起き上がり部１０は、水平状態と、上半身側寝台部８に載せられた使用者の上半身側Ｓ１を斜めに起こすリクライニング状態とに変形可能に構成されている。起き上がり部１０には、リクライニング状態への傾動により使用者側に突出するランバーサポート１４が設けられている。【選択図】図４
2019030510.tif 000002
【特許請求の範囲】
【請求項１】
使用者の上半身側が載せられる上半身側寝台部と、使用者の下半身側が載せられる下半身側寝台部とを含む寝台部を有し、
ベッド側面視において、前記上半身側寝台部と前記下半身側寝台部とが略水平となる水平状態と、逆Ｖ字状に折り曲げられた折り畳み状態とに変形可能である折畳みベッドであって、
前記上半身側寝台部は、起き上がり部を含み、
前記起き上がり部は、水平状態と、前記上半身側寝台部に載せられた使用者の上半身側を斜めに起こすリクライニング状態とに変形可能に構成されており、
前記起き上がり部には、前記リクライニング状態への傾動により使用者側に突出するランバーサポートが設けられている折畳みベッド。
【請求項２】
前記起き上がり部は、使用者の頭部が載置される頭部側載置部と、前記頭部側載置部に連結されかつ使用者の背中が載置される背中側載置部とを含み、
前記背中側載置部は、ベッド幅方向に沿った第１枢軸周りで傾動し、
前記ランバーサポートは、前記背中側載置部に設けられている請求項１に記載の折畳みベッド。
【請求項３】
前記起き上がり部は、前記水平状態から前記リクライニング状態へ傾動するに際して、前記頭部側載置部が先行して上向きに傾動し、
前記背中側載置部は、前記頭部側載置部の傾動から遅れて上向きに傾動し、
前記ランバーサポートは、前記背中側載置部の傾動から遅れて突出する請求項２に記載の折畳みベッド。
【請求項４】
前記頭部側載置部には、前記第１枢軸に平行な第２枢軸周りで傾動する傾動アームがスライド自在に連結されており、
前記ランバーサポートは、前記第１枢軸に平行な第３枢軸周りで傾動可能に支持され、かつ、ランバーサポート突出部により使用者側に突出し、
前記ランバーサポート突出部は、カムとローラとを含み、
前記カムは、前記ランバーサポートの使用者とは反対側に設けられ、
前記ローラは、前記傾動アームに取り付けられている請求項２又は３に記載の折畳みベッド。
【請求項５】
前記ローラは、前記傾動アームに沿って移動させることにより、前記カムに接触する可動位置と、前記カムに接触しない待機位置とに変更可能である請求項４に記載の折畳みベッド。
【請求項６】
前記ランバーサポートは、前記起き上がり部の水平状態で前記上半身側寝台部の寝台面と平行な第１面部と、前記第１面部に直交し、かつ、前記第１面部のベッド幅方向の両側に位置する一対の第２面部とを含む請求項１〜５のいずれかに記載の折畳みベッド。
【請求項７】
前記ランバーサポートは、前記第１枢軸と平行な第３枢軸周りで傾動可能に支持され、さらに、前記第１面部の前記第３枢軸とは反対側に位置する第３面部を含む請求項６に記載の折畳みベッド。
【請求項８】
前記第１面部は、平面を有する板状部と、前記板状部に形成された複数の貫通孔部とを有する請求項６又は７に記載の折畳みベッド。
【請求項９】
前記ランバーサポートの幅は、前記上半身側寝台部の幅の３５％〜７０％である請求項１〜８のいずれかに記載の折畳みベッド。
【発明の詳細な説明】
【技術分野】
【０００１】
本発明は、寝台部を折畳むことができる折畳みベッドに関する。
【背景技術】
【０００２】
従来、使用者の上半身側が載せられる上半身側寝台部と、使用者の下半身側が載せられる下半身側寝台部とを含む寝台部を有する折畳みベッドが種々提案されている。このような折畳みベッドは、ベッド側面視において、上半身側寝台部と下半身側寝台部とが略水平となる水平状態と、逆Ｖ字状に折り曲げられた折り畳み状態とに変形可能である。
【０００３】
例えば、下記特許文献１の折畳みベッドは、上半身側寝台部が、起き上がり部を含んでいる。このような起き上がり部は、水平状態と、上半身側寝台部に載せられた使用者の上半身を斜めに起こすリクライニング状態とに変形可能に構成されている。
【先行技術文献】
【特許文献】
【０００４】
【特許文献１】特開２０１４−１００１８３号公報
【発明の概要】
【発明が解決しようとする課題】
【０００５】
特許文献１の折畳みベッドは、起き上がり部の傾動中心である第１枢軸をベッド長手方向の特定の位置に設けることで使用者の腹部等への圧迫を軽減している。しかしながら、この折畳みベッドは、起き上がり部が水平状態での使用に適した平坦な形状をしているため、折畳みベッドをリクライニング状態で長時間使用すると使用者の腰部等への負担が大きくなっていた。このため、リクライニング状態での姿勢保持には、更なる改善が求められていた。
【０００６】
本発明は、以上のような実状に鑑み案出されたもので、リクライニング状態での使用者の良好な姿勢を保持して使用者の腰部等への負担を軽減する折畳みベッドを提供することを主たる目的としている。
【課題を解決するための手段】
【０００７】
本発明は、使用者の上半身側が載せられる上半身側寝台部と、使用者の下半身側が載せられる下半身側寝台部とを含む寝台部を有し、ベッド側面視において、前記上半身側寝台部と前記下半身側寝台部とが略水平となる水平状態と、逆Ｖ字状に折り曲げられた折り畳み状態とに変形可能である折畳みベッドであって、前記上半身側寝台部は、起き上がり部を含み、前記起き上がり部は、水平状態と、前記上半身側寝台部に載せられた使用者の上半身側を斜めに起こすリクライニング状態とに変形可能に構成されており、前記起き上がり部には、前記リクライニング状態への傾動により使用者側に突出するランバーサポートが設けられていることを特徴とする。
【０００８】
本発明に係る折畳みベッドにおいて、前記起き上がり部は、使用者の頭部が載置される頭部側載置部と、前記頭部側載置部に連結されかつ使用者の背中が載置される背中側載置部とを含み、前記背中側載置部は、ベッド幅方向に沿った第１枢軸周りで傾動し、前記ランバーサポートは、前記背中側載置部に設けられているのが望ましい。
【０００９】
本発明に係る折畳みベッドにおいて、前記起き上がり部は、前記水平状態から前記リクライニング状態へ傾動するに際して、前記頭部側載置部が先行して上向きに傾動し、前記背中側載置部は、前記頭部側載置部の傾動から遅れて上向きに傾動し、前記ランバーサポートは、前記背中側載置部の傾動から遅れて突出するのが望ましい。
【００１０】
本発明に係る折畳みベッドにおいて、前記頭部側載置部には、前記第１枢軸に平行な第２枢軸周りで傾動する傾動アームがスライド自在に連結されており、前記ランバーサポートは、前記第１枢軸に平行な第３枢軸周りで傾動可能に支持され、かつ、ランバーサポート突出部により使用者側に突出し、前記ランバーサポート突出部は、カムとローラとを含み、前記カムは、前記ランバーサポートの使用者とは反対側に設けられ、前記ローラは、前記傾動アームに取り付けられているのが望ましい。
【００１１】
本発明に係る折畳みベッドにおいて、前記ローラは、前記傾動アームに沿って移動させることにより、前記カムに接触する可動位置と、前記カムに接触しない待機位置とに変更可能であるのが望ましい。
【００１２】
本発明に係る折畳みベッドにおいて、前記ランバーサポートは、前記起き上がり部の水平状態で前記上半身側寝台部の寝台面と平行な第１面部と、前記第１面部に直交し、かつ、前記第１面部のベッド幅方向の両側に位置する一対の第２面部とを含むのが望ましい。
【００１３】
本発明に係る折畳みベッドにおいて、前記ランバーサポートは、前記第１枢軸と平行な第３枢軸周りで傾動可能に支持され、さらに、前記第１面部の前記第３枢軸とは反対側に位置する第３面部を含むのが望ましい。
【００１４】
本発明に係る折畳みベッドにおいて、前記第１面部は、平面を有する板状部と、前記板状部に形成された複数の貫通孔部とを有するのが望ましい。
【００１５】
本発明に係る折畳みベッドにおいて、前記ランバーサポートの幅は、前記上半身側寝台部の幅の３５％〜７０％であるのが望ましい。
【発明の効果】
【００１６】
本発明の折畳みベッドにおいて、上半身側寝台部は、起き上がり部を含み、起き上がり部は、水平状態と、上半身側寝台部に載せられた使用者の上半身側を斜めに起こすリクライニング状態とに変形可能に構成されている。このような上半身側寝台部は、使用者の上半身側を斜めに起こすことを補助するとともに、使用者の上半身側を起こした状態でその姿勢を保持することができる。
【００１７】
本発明の折畳みベッドにおいて、起き上がり部には、リクライニング状態への傾動により使用者側に突出するランバーサポートが設けられている。このような起き上がり部は、使用者がリクライニング状態で使用するときに使用者の腰部近傍を背中側から押圧することで、使用者の姿勢を良好な状態に保持して使用者の腰部等への負担を軽減することができる。
【図面の簡単な説明】
【００１８】
【図１】本発明の水平状態の折畳みベッドの一実施形態を示す斜視図である。
【図２】水平状態の折畳みベッドの側面図である。
【図３】折り畳み状態の折畳みベッドの側面図である。
【図４】リクライニング状態の折畳みベッドの斜視図である。
【図５】ランバーサポートの拡大斜視図である。
【図６】起き上がり部の部分斜視図である。
【図７】起き上がり部の傾動状態を示す模式図である。（ａ）は、頭部側載置部が傾動した状態、（ｂ）は、背中側載置部が傾動した状態、（ｃ）は、ランバーサポートが突出した状態である。
【図８】ローラの待機位置を示す拡大側面図である。
【図９】分解された折畳みベッドの斜視図である。
【発明を実施するための形態】
【００１９】
以下、本発明の実施の一形態が図面に基づき詳細に説明される。
図１には、本実施形態の水平状態の折畳みベッド１の斜視図が示されており、図２は、水平状態の折畳みベッド１の側面図である。図１及び図２に示されるように、本実施形態の折畳みベッド１は、使用者が載せられる寝台面２Ａを含む寝台部２と、寝台部２が載置されるベッドフレーム３と、ベッドフレーム３を支持する脚部４とを有している。
【００２０】
また、本実施形態の折畳みベッド１は、ベッド長さ方向の一方側に取り付けられるヘッドボード５と、他方側に取り付けられるフットボード６と、ベッド幅方向の両側に取り付けられる一対のサイドグリップ７とを有している。本明細書では、折畳みベッド１のヘッドボード５側を使用者の上半身側Ｓ１とし、フットボード６側を使用者の下半身側Ｓ２とする。
【００２１】
本実施形態の寝台部２は、使用者の上半身側Ｓ１が載せられる上半身側寝台部８と、使用者の下半身側Ｓ２が載せられる下半身側寝台部９とを含んでいる。
【００２２】
図３は、折畳み状態の折畳みベッド１の側面図である。図２及び図３に示されるように、本実施形態の寝台部２は、ベッド側面視において、上半身側寝台部８と下半身側寝台部９とが略水平となる水平状態と、上半身側寝台部８と下半身側寝台部９とが逆Ｖ字状に折り曲げられた折畳み状態とに変形可能に構成されている。
【００２３】
寝台部２の水平状態と折り畳み状態との変形は、上半身側寝台部８及び下半身側寝台部９が基準状態で行われる。この基準状態とは、上半身側寝台部８と下半身側寝台部９の寝台面２Ａが、ベッドフレーム３のベッド長さ方向に平行な状態である。なお、本実施形態の折畳みベッド１は、折り畳み状態へ変形するに際して、ヘッドボード５、フットボード６及び一対のサイドグリップ７が取り外されている。
【００２４】
図４は、リクライニング状態の折畳みベッド１の斜視図である。図４に示されるように、本実施形態の上半身側寝台部８は、ベッドフレーム３に対して可動する起き上がり部１０を含んでいる。
【００２５】
図２及び図４に示されるように、本実施形態の起き上がり部１０は、水平状態と、上半身側寝台部８に載せられた使用者の上半身側Ｓ１を斜めに起こすリクライニング状態とに変形可能に構成されている。
【００２６】
このような起き上がり部１０を含む上半身側寝台部８は、使用者の上半身側Ｓ１を斜めに起こすことを補助するとともに、使用者の上半身側Ｓ１を起こした状態でその姿勢を保持することができる。
【００２７】
図４に示されるように起き上がり部１０には、リクライニング状態への傾動により使用者側に突出するランバーサポート１４が設けられているのが望ましい。このような起き上がり部１０は、使用者がリクライニング状態で使用するときに使用者の腰部近傍をランバーサポート１４により背中側から押圧することで、使用者の姿勢を良好な状態に保持して使用者の腰部等への負担を軽減することができる。
【００２８】
起き上がり部１０は、例えば、使用者の頭部が載置される頭部側載置部１０Ａと、頭部側載置部１０Ａに連結されかつ使用者の背中が載置される背中側載置部１０Ｂとを含んでいてもよい。
【００２９】
この場合、起き上がり部１０の水平状態からリクライニング状態への変形において、起き上がり部１０の背中側載置部１０Ｂは、例えば、ベッド幅方向に沿った第１枢軸１１周りで傾動している。また、起き上がり部１０の頭部側載置部１０Ａには、第１枢軸１１に平行な第２枢軸１２周りで傾動する傾動アーム１５がスライド自在に連結されているのが望ましい。
【００３０】
ランバーサポート１４は、例えば、背中側載置部１０Ｂに設けられている。ランバーサポート１４は、第１枢軸１１に平行な第３枢軸１３周りで傾動可能に支持されるのが望ましい。本実施形態の第３枢軸１３は、ランバーサポート１４の頭部側載置部１０Ａ側を支持している。
【００３１】
図５は、ランバーサポート１４の拡大斜視図である。図１及び図５に示されるように、ランバーサポート１４は、例えば、プレート状であって、起き上がり部１０の水平状態で上半身側寝台部８の寝台面２Ａと平行な第１面部１４Ａを含んでいる。ランバーサポート１４は、また、第１面部１４Ａに直交し、かつ、第１面部１４Ａのベッド幅方向の両側に位置する一対の第２面部１４Ｂを含んでいる。ランバーサポート１４は、さらに、第１面部１４Ａの第３枢軸１３とは反対側に位置する第３面部１４Ｃを含んでいる。
【００３２】
このようなランバーサポート１４は、起き上がり部１０から突出する部分が全て面部材で構成されるため、ランバーサポート１４の起き上がり部１０からの突出動作及び引込動作において、寝具等を挟み込むおそれがない。
【００３３】
第１面部１４Ａは、平面を有する板状部１４ａと、板状部１４ａに形成された少なくとも１つ、好ましくは複数の貫通孔部１４ｂとを有している。本実施形態の貫通孔部１４ｂは、ベッド幅方向に長い長孔形状であるが、貫通孔部１４ｂの形状は、例えば、ベッド長手方向に長い長孔形状であっても、円形の孔形状であってもよい。このような第１面部１４Ａを含むランバーサポート１４は、剛性と通気性とを両立することができる。
【００３４】
図４に示されるように、ランバーサポート１４の幅Ｗ１は、好ましくは、上半身側寝台部８の幅Ｗ２の３５％〜７０％である。このようなランバーサポート１４は、使用者の腰部近傍を押圧するのに必要な剛性を維持しつつ、使用者がベッドの中央位置以外で使用しているときにも、使用者の腰部近傍を押圧することができる。
【００３５】
図６は、起き上がり部１０の部分斜視図である。図６に示されるように、本実施形態のランバーサポート１４は、起き上がり部１０がリクライニング状態へ傾動することで、一対のランバーサポート突出部１６により押され、背中側載置部１０Ｂから使用者側に突出する。各ランバーサポート突出部１６は、例えば、カム１７とローラ１８とを含んでいる。
【００３６】
本実施形態のカム１７は、ランバーサポート１４の裏面側、すなわち使用者とは反対側の面に、ランバーサポート１４と一体的に設けられている。カム１７は、例えば、ローラ１８が接するカム面１７Ａを有している。カム１７のカム面１７Ａの形状を調整することにより、ランバーサポート１４の突出量は、起き上がり部１０の傾動角度に応じて変更される。
【００３７】
本実施形態のローラ１８は、ローラ支持部１８Ａを介して傾動アーム１５に取り付けられている。ローラ支持部１８Ａは、傾動アーム１５にピン等の結合部材により、脱着自在に取り付けられるのが望ましい。このようなローラ１８は、ローラ支持部１８Ａの結合部材を取り外すことで、傾動アーム１５に沿って容易に移動させることができる。
【００３８】
図７は、起き上がり部１０の傾動状態を示す模式図である。図７（ａ）に示されるように、本実施形態の起き上がり部１０は、水平状態からリクライニング状態へ傾動するに際して、頭部側載置部１０Ａが先行して上向きに傾動する。図７（ｂ）に示されるように、背中側載置部１０Ｂは、頭部側載置部１０Ａの傾動から遅れて上向きに傾動するのが望ましい。このような起き上がり部１０は、使用者の上半身側Ｓ１を斜めに起こすときに、使用者が自分で起き上がるときと同じ順序で起こすので、使用者の身体への負担が軽減される。
【００３９】
図７（ｃ）に示されるように、本実施形態のランバーサポート１４は、背中側載置部１０Ｂの傾動から遅れて突出する。図８（ｂ）に示されるように、ランバーサポート１４は、起き上がり部１０が予め定められた角度θまで傾斜した時点から、突出動作を開始するのが望ましい。突出動作を開始する角度θは、好ましくは、２０°〜４０°である。このようなランバーサポート１４は、起き上がり部１０の傾動角度に応じて突出量を変更できるため、起き上がり部１０のリクライニング状態に応じて、使用者の腰部近傍の押圧強度を変更することができる。
【００４０】
図８は、ローラ１８の待機位置を示す拡大側面図である。図８に示されるように、ローラ１８は、傾動アーム１５に沿って移動させることにより、二点鎖線で表されるようなカム１７に接触する可動位置と、実線で表されるようなカム１７に接触しない待機位置とに変更可能に構成されている。待機位置のローラ１８は、起き上がり部１０の傾動角度に関係なく、カム１７に接触することがない。このようなローラ１８は、待機位置に取り付けることで、ランバーサポート１４を突出させずに起き上がり部１０をリクライニング状態にさせることができる。
【００４１】
なお、寝台部２の寝台面２Ａには、ウレタンフォーム等のクッション材からなるマット（図示省略）が設けられるのが望ましい。マットは、例えば、上半身側寝台部８から下半身側寝台部９にかけて一体的に設けられてもよいし、２つ以上に分割して構成されてもよい。
【００４２】
図９は、分解された折畳みベッド１の斜視図である。図１及び図９に示されるように、本実施形態のベッドフレーム３は、上半身側寝台部８が載置される上半身側フレーム１９と、下半身側寝台部９が載置される下半身側フレーム２０とを含んでいる。上半身側フレーム１９には、起き上がり部１０をリクライニングさせるためのアクチュエータ（図示省略）が設けられるのが望ましい。
【００４３】
図９に示されるように、本実施形態の上半身側フレーム１９には、ヘッドボード５が着脱自在に取り付けられている。ヘッドボード５の着脱は、例えば、ヘッドボード５側に設けられたスリット状の第１係合部５ａと上半身側フレーム１９側に設けられた第２係合部１９ａとを係合させて行われる。第１係合部５ａと第２係合部１９ａとは、係合時に不意に外れないように、例えば、抜け止めピン等で固定されるのが望ましい。
【００４４】
本実施形態の下半身側フレーム２０には、フットボード６が着脱自在に取り付けられている。フットボード６の着脱は、例えば、フットボード６側に設けられたスリット状の第３係合部６ａと下半身側フレーム２０側に設けられた第４係合部２０ａとを係合させて行われる。第３係合部６ａと第４係合部２０ａとは、係合時に不意に外れないように、例えば、抜け止めピン等で固定されるのが望ましい。
【００４５】
上半身側フレーム１９及び下半身側フレーム２０は、それぞれ、ベッド幅方向の両側に、サイドグリップ７を選択的に差し込むことで取り付け可能な第５係合部２１を有するのが望ましい。本実施形態の各第５係合部２１は、２つの孔部２１ａを含んでいる。第５係合部２１には、断面コ字状のサイドカバー２２が装着されるのが望ましい。
【００４６】
サイドカバー２２は、例えば、相対する第１面２２Ａ及び第２面２２Ｂと、第１面２２Ａ及び第２面２２Ｂを連結する第３面２２Ｃとを含んでいる。本実施形態のサイドカバー２２の第１面２２Ａは、第５係合部２１に装着されたときに、第５係合部２１の２つの孔部２１ａに対応する位置に、貫通孔２２ａが形成されている。
【００４７】
このため、サイドカバー２２は、第１面２２Ａを上方にして装着されることで、サイドカバー２２を装着した状態でサイドグリップ７を取り付けることができる。また、サイドカバー２２は、第２面２２Ｂを上方にして装着されることで、サイドグリップ７を取り付けない第５係合部２１を覆い隠すことができる。
【００４８】
図２及び図３に示されるように、本実施形態の脚部４は、床面Ｆに対してベッドフレーム３を水平移動自在に支持する複数の車輪部材２３と、床面Ｆに対してベッドフレーム３の移動を妨げる複数の非車輪部材２４とを含んでいる。このような車輪部材２３は、寝台部２を、水平状態と折り畳み状態との間でスムーズに変形させるのに役立つ。また、非車輪部材２４は、寝台部２が水平状態の折畳みベッド１の床面Ｆに対する移動を妨げることができる。
【００４９】
本実施形態の車輪部材２３は、寝台部２が水平状態のときに離地し、寝台部２が折り畳み状態のときに接地している。一方、本実施形態の非車輪部材２４は、寝台部２が水平状態のときに接地し、寝台部２が折り畳み状態のときに離地している。
【００５０】
脚部４は、例えば、寝台部２を水平状態から折り畳み状態に変形させることで、床面Ｆに接地する部材を非車輪部材２４から車輪部材２３に変更することができる。また、脚部４は、例えば、寝台部２を折り畳み状態から水平状態に変形させることで、床面Ｆに接地する部材を車輪部材２３から非車輪部材２４に変更することができる。
【００５１】
このため、寝台部２が水平状態で配置された折畳みベッド１は、車輪部材２３により、床面Ｆに対して水平移動するおそれがない。このような折畳みベッド１は、寝台部２が水平状態で配置された床面Ｆに対して移動し難く、使用者が安心して使用することができる。
【００５２】
以上、本発明の特に好ましい実施形態について詳述したが、本発明は、上記実施形態に限定されることなく、種々の態様に変形して実施し得る。
【符号の説明】
【００５３】
１    折畳みベッド
２    寝台部
８    上半身側寝台部
９    下半身側寝台部
１０    起き上がり部
１４    ランバーサポート
【図１】
2019030510.tif 000003
【図２】
2019030510.tif 000004
【図３】
2019030510.tif 000005
【図４】
2019030510.tif 000006
【図５】
2019030510.tif 000007
【図６】
2019030510.tif 000008
【図７】
2019030510.tif 000009
【図８】
2019030510.tif 000010
【図９】
2019030510.tif 000011